(57)【特許請求の範囲】
【請求項１】
電気量の測定を行う計測部と、
第１のケースと第２のケースとを接合させて前記計測部を内部に収納する筐体と、
前記第１のケースと前記第２のケースとを接合した状態で開封不能に形成させる封印手段とを有する計測器の封印構造において、
前記封印手段は、
前記第１のケースに切り込み部を形成し、この切り込み部から突出して設けられると共に、外周面にリング状の嵌合溝を形成した封印用突起と、
前記第２のケースの前記切り込み部に対応する個所の壁面に形成され、前記封印用突起が
貫通される突起貫通孔と、
この突起貫通孔に前記封印用突起が貫通された状態で前記封印用突起を被装する封印キャップとを有し、
前記封印キャップは前記封印用突起が嵌挿される突起嵌挿穴と、
前記封印用突起が前記突起嵌挿穴に嵌挿されたときに前記嵌合溝に嵌合する嵌合凸部とを備えたことを特徴とする計測器の封印構造。
【請求項２】
電気量の測定を行う計測部と、
第１のケースと第２のケースとを接合させて前記計測部を内部に収納する筐体と、
前記第１のケースと第２のケースとを接合した状態で開封不能に形成させる封印手段とを有する計測器の封印構造において、
前記封印手段は、
前記第１のケースに切り込み部を形成し、この切り込み部から突出して設けられると共に、嵌合溝を形成した円周状面と平面部とを有する断面半円形状の封印第１突起と、
前記第２のケースの前記切り込み部に対応する個所の壁面に形成され、前記封印第１突起の平面部に当接する平面部と前記封印第１突起への当接時に前記封印第１突起の嵌合溝に連らなってリング状の溝を形成する嵌合溝を形成した円周状面とを有する断面半円形状の封印第２突起と、
前記封印第１突起の平面部と前記封印第２突起の平面部とを当接した状態で前記封印第１突起と前記封印第２突起とを被装する封印キャップとを有し、
前記封印キャップは前記封印第１突起と前記封印第２突起とが当接して形成される円柱状部に嵌挿される突起嵌挿穴と、前記封印第１突起の嵌合溝と前記封印第２突起の嵌合溝とで形成されるリング状の溝に嵌合する嵌合凸部とを備えたことを特徴とする計測器の封印構造。
【発明の詳細な説明】
【技術分野】
【０００１】
この発明は、例えば、電路の電力量を計測する電力量計に係わり、特に電力量を計測する計測器を収納させた状態で封印する封印構造に関するものである。
【背景技術】
【０００２】
我国の電力量計の封印は、計量法に従って施行されており、日本電気計器検定所にて検定封印を施す必要がある。
検定封印は、各需要家で計量される電力量に格差を生じないように各電力量計の精度を同一とするために、電力量計内部の計測器の調整を行い、この後、外部から強制的に改変等されないように行うものである。
【０００３】
検定封印を行う手段の一つとして、計測器を収納するケースを固定する専用の封印ねじの頭部に専用の封印キャップを被装する方法が用いられ、この封印キャップは一旦被装すると封印キャップを破壊しない限り取り外すことが出来ないという構造を有するため、封印キャップを被装することでケース内部の計測器に改変されることを防ぐ機能を有するものである。（例えば、特許文献１  図１参照）
【０００４】
【特許文献１】特開２００４−２４５７０４号公報
【発明の開示】
【発明が解決しようとする課題】
【０００５】
従来の計測器の封印構造は以上のように構成されており、封印キャップに対応する専用の封印ねじを用いて封印する構造であり、部品点数が多く、組立時間が長くなるという課題があった。
【０００６】
この発明は、上述のような課題を解決するためになされたもので、専用の封印ねじを使用することなく、計測器を収納させた状態で封印する封印構造を得ることを目的とするものである。
【課題を解決するための手段】
【０００７】
この発明に係る計測器の封印構造は、電気量の測定を行う計測部と、第１のケースと第２のケースとを接合させて前記計測部を内部に収納する筐体と、前記第１のケースと前記第２のケースとを接合した状態で開封不能に形成させる封印手段とを有する計測器の封印構造において、前記封印手段は、前記第１のケースに切り込み部を形成し、この切り込み部から突出して設けられると共に、外周面にリング状の嵌合溝を形成した封印用突起と、前記第２のケースの前記切り込み部に対応する個所の壁面に形成され、前記封印用突起が貫通される突起貫通孔と、この突起貫通孔に前記封印用突起が貫通された状態で前記封印用突起を被装する封印キャップとを有し、前記封印キャップは前記封印用突起が嵌挿される突起嵌挿穴と、前記封印用突起が前記突起嵌挿穴に嵌挿されたときに前記嵌合溝に嵌合する嵌合凸部とを備えたものである。
【発明の効果】
【０００８】
この発明の計測器の封印構造は以上のように構成されているので、計測器の封印を封印キャップにて行う際に、専用の封印ねじを使用することなく封印を行うことが可能であり、部品点数を少なくし、組立時間を短縮できるという効果がある。
【発明を実施するための最良の形態】
【０００９】
実施の形態１．
図１は、この発明の実施の形態１における計測器の封印構造を示す外観斜視図、図２は、図１の計測器の分解斜視図、図３は、図１の封印キャップ装着前要部拡大図である。
図において、計測器１００は、図示していない端子から入力された電気信号に基づいて電力量を計測する電気量の測定を行う計測部１と、第１のケース２と第２のケース３とを接合させて計測部１を内部に収納する筐体４と、第１のケース２と第２のケース３とを接合した状態で開封不能に形成させる封印手段５とで構成されている。
【００１０】
封印手段５は、第１のケース２に配設された封印用突起２ａと、第２のケース３に配設され封印用突起２ａが貫通される突起貫通孔３ａと、この突起貫通孔３ａに封印用突起２ａが貫通された状態で封印用突起２ａを被装する封印キャップ６とで構成されている。
封印用突起２ａは外周面にリング状に形成された嵌合溝２ｃを備え、封印キャップ６は封印用突起２ａが嵌挿される突起嵌挿穴６ａと、封印用突起２ａが突起嵌挿穴６ａに嵌挿されたときに嵌合溝２ｃに嵌合する嵌合凸部６ｂとを備えている。
第１のケース２にはケース固定爪２ｂが配設され、第２のケース３には固定爪２ｂが係止される爪係止孔３ｂ及び計測部１で計測した電力量を表示する表示窓３ｃが配設されている。
【００１１】
以上のように構成されたこの発明の実施の形態１における計測器１００は、封印用突起２ａを突起貫通孔３ａに嵌挿させ、第１のケース２と第２のケース３とを接合させると、ケース固定爪２ｂが第２のケース３に配設された爪係止孔３ｂに係止されて、第１のケース２と第２のケース３は一体的になって筐体４が形成される。
次に、封印用突起２ａに封印キャップ６の突起嵌挿穴６ａを嵌挿させると、封印用突起２ａの外周面にリング状に形成された嵌合溝２ｃに嵌合凸部６ｂが嵌合し、封印キャップ６は封印用突起２ａに固着され、計測部１は筐体４に収納された状態で封印キャップ６により開封不能に封印される。
【００１２】
以上のように構成された実施の形態１における計測器は、計測器１００の封印を封印キャップ６にて行う構成において、専用の封印ねじを使用することなく封印を行うことが可能であり、部品点数を少なくし、組立時間を短縮できる。
また、封印用突起２ａの外周面にリング状に形成された嵌合溝２ｃに嵌合凸部６ｂが嵌合することにより、封印キャップ６は封印用突起２ａに固着されるので、封印キャップ６を破壊しない限りは取り外しができないので、筐体４内部の計測部１を改変されることがない。
【００１３】
実施の形態２．
図４は、この発明の実施の形態２における計測器の封印構造を示す外観斜視図、図５は、図４の計測器の分解斜視図、図６は図４の封印キャップ装着前要部拡大図、図７は、図５の要部拡大図である
図において、計測器１０１は、図示していない端子から入力された電気信号に基づいて電力量を計測する電気量の測定を行う計測部１と、第１のケース７と第２のケース８とを接合させて計測部１を内部に収納する筐体４と、第１のケース７と第２のケース８とを接合した状態で開封不能に形成させる封印手段５とで構成されている。
封印手段５は、第１のケース７に配設された封印第１突起７ａと、第２のケース８に配設され封印第１突起７ａに当接する封印第２突起８ａと、封印第１突起７ａと封印第２突起８ａとを当接した状態で封印第１突起７ａと封印第２突起８ａを被装する封印キャップ６とで構成されている。
【００１４】
封印第１突起７ａの外周面には第1の嵌合溝７ｃが形成され、封印第２突起８ａの外周面には第２の嵌合溝８ｄが形成され、封印キャップ６は封印第１突起７ａと封印第２突起８ａとが当接した状態で嵌挿される突起嵌挿穴６ａと、封印第１突起７ａと封印第２突起８ａとが当接した状態で嵌挿されたときに第1の嵌合溝７ｃと第２の嵌合溝８ｄに嵌合する嵌合凸部６ｂとを備えている。
第１のケース７にはケース固定爪７ｂ（図７に示す）が配設され、第２のケース８には固定爪７ｂが係止される爪係止孔８ｂ（図７に示す）及び計測部１で計測した電力量を表示する表示窓８ｃ（図５に示す）が配設されている。
【００１５】
以上のように構成されたこの発明の実施の形態２における計測器１０１は、封印第１突起７ａと封印第２突起８ａとを当接すると、ケース固定爪７ｂが第２のケース８に配設された爪係止孔８ｂに係止されて、第１のケース７と第２のケース８は一体的になって筐体４が形成される。
次に、封印第１突起７ａと封印第２突起８ａとを当接した状態で封印第１突起７ａと封印第２突起８ａに封印キャップ６の突起嵌挿穴６ａを嵌挿させると、リング状に形成された第1の嵌合溝７ｃと第２の嵌合溝８ｄに嵌合凸部６ｂが嵌合し、封印キャップ６は封印第１突起７ａと封印第２突起８ａに一体的に固着され、計測部１は筐体４に収納された状態で封印キャップ６により開封不能に封印される。
【００１６】
以上のように構成された実施の形態２における計測器は、計測器１０１の封印を封印キャップ６にて行う構成において、専用の封印ねじを使用することなく封印を行うことが可能であり、部品点数を少なくし、組立時間を短縮できる。
また、リング状に形成された第1の嵌合溝７ｃと第２の嵌合溝８ｄに嵌合凸部６ｂが嵌合することにより、封印キャップ６は封印第１突起７ａと封印第２突起８ａに一体的に固着されるので、封印キャップ６を破壊しない限りは取り外しができないので、筐体４内部の計測部１を改変されることがない。
【図面の簡単な説明】
【００１７】
【図１】この発明の実施の形態１における計測器の封印構造を示す外観斜視図である。
【図２】図１の計測器の分解斜視図である。
【図３】図１の封印キャップ装着前要部拡大図である。
【図４】この発明の実施の形態２における計測器の封印構造を示す外観斜視図である。
【図５】図４の計測器の分解斜視図である。
【図６】図４の封印キャップ装着前要部拡大図である。
【図７】図５の要部拡大図である。
【符号の説明】
【００１８】
１  計測部、２，７  第１のケース、２ａ  封印用突起、２ｃ  嵌合溝、
第２のケース、  ３ａ  突起貫通孔、４  筐体、５  封印手段、  ６  封印キャップ、
６ａ  突起嵌挿穴、６ｂ  嵌合凸部、７ａ  封印第１突起、  ７ｃ  第1の嵌合溝、
８ａ  封印第２突起、８ｄ  第２の嵌合溝、１００，１０１  計測器。
【図１】
0004657085.tif 000002
【図２】
0004657085.tif 000003
【図３】
0004657085.tif 000004
【図４】
0004657085.tif 000005
【図５】
0004657085.tif 000006
【図６】
0004657085.tif 000007
【図７】
0004657085.tif 000008